(57)【要約】      （修正有）【課題】スマートフォンタイプの移動体電話と通信できる等の１つ又は複数の電子機能を腕時計ケースと関連させることができるブレスレットを提供する。【解決手段】腕時計ケース１２のブレスレットに関し、第１のプリント回路部分４を格納した第１のアーム４８、及び第２のプリント回路部分６を格納した第２のアーム５０を備える。第１のアームは、中央部品を介して第２のアームに接続され、上記中央部品は、腕時計ケースのための台座として機能するよう配設され、また第１のプリント回路部分と第２のプリント回路部分との間の電気的連続性を保証するための手段を含む。第１のプリント回路部分及び第２のプリント回路部分は、少なくとも１つの電子構成部品（２６、２８、３０、３２、３６）と、上記電子構成部品に電流を供給する電気エネルギ源３４とを支持する。【選択図】図３
2019051345.tif 000002
【特許請求の範囲】
【請求項１】
ブレスレット又はストラップと、腕時計ケース（１２）とを含む、腕時計であって、
前記ブレスレット（１）は、第１のプリント回路部分（４）を格納した第１のアーム（４８）、及び第２のプリント回路部分（６）を格納した第２のアーム（５０）を含み、
前記第１のアーム（４８）は、中央部品（８）を介して前記第２のアーム（５０）に接続され、前記中央部品（８）は、前記腕時計ケース（１２）のための台座として機能するよう配設され、また前記第１のプリント回路部分（４）と前記第２のプリント回路部分（６）との間の電気的連続性を保証するための手段を含み、
前記第１のプリント回路部分（４）及び前記第２のプリント回路部分（６）のうちの少なくとも一方は、少なくとも１つのマイクロコントローラ（２６）を支持し、他方の前記プリント回路部分は、前記マイクロコントローラ（２６）に電流を供給する少なくとも１つの電気エネルギ源（３４）を支持し、
前記腕時計ケース（１２）は、前記ブレスレット（１）から電気的に完全に独立している、腕時計。
【請求項２】
前記第１のプリント回路部分（４）と、前記第２のプリント回路部分（６）と、前記第１のプリント回路部分（４）と前記第２のプリント回路部分（６）との間の電気的連続性を保証するための前記手段を含む前記中央部品（８）とは、単一部品として作製されることを特徴とする、請求項１に記載の腕時計。
【請求項３】
前記中央部品（８）は、少なくとも１つのアーチ（８ａ、８ｂ、６８）を含むことを特徴とする、請求項２に記載の腕時計。
【請求項４】
前記中央部品（８）は、インサート（１４）によって被覆されることを特徴とする、請求項１〜３のいずれか１項に記載の腕時計。
【請求項５】
前記腕時計ケース（１２）は、直径の両端として対向する２ペアの角状部（３８）を含み、
前記インサート（１４）は２つのガイド要素（４０）を含み、前記ガイド要素（４０）は、前記角状部（３８）の各ペアの間に配置されるよう配設され、またそれぞれ、前記腕時計ケース（１２）への前記ブレスレット（１）の取り付けを可能とするためのピン（４４）の通過のための孔（４２）によって穿孔される
ことを特徴とする、請求項４に記載の腕時計。
【請求項６】
前記第１のアーム（４８）及び前記第２のアーム（５０）は、前記第１のプリント回路部分（４）及び前記第２のプリント回路部分（６）を、第１のオーバモールド層（４６）を用いてオーバモールドすることによって形成されることを特徴とする、請求項５に記載の腕時計。
【請求項７】
前記インサート（１４）もまた、前記第１のオーバモールド層を用いてオーバモールドされることを特徴とする、請求項６に記載の腕時計。
【請求項８】
前記腕時計は、接続部品（５８）によって互いに対して接続された第１のストランド（５４）及び第２のストランド（５６）で形成されたスリーブ（５２）を含み、
前記第１のストランド（５４）及び前記第２のストランド（５６）は中空であり、またそれぞれ、前記第１のアーム（４８）及び前記第２のアーム（５０）がその中で摺動できるような開口（６０）を備える
ことを特徴とする、請求項６又は７に記載の腕時計。
【請求項９】
前記スリーブ（５２）は、周縁部（６６）に沿って互いに接合された上側バンド（６２）及び下側バンド（６４）で形成されることを特徴とする、請求項８に記載の腕時計。
【請求項１０】
前記ブレスレット（１）は、プラスチック又はエラストマ材料の第２の層を用いてオーバモールドされることを特徴とする、請求項６又は７に記載の腕時計。
【発明の詳細な説明】
【技術分野】
【０００１】
本発明は、腕時計のブレスレット又はストラップに関する。より具体的には、歩発明は、少なくとも１つの電子機能を実行するために配設された１つ又は複数の電子構成部品を格納する、腕時計のブレスレットに関する。
【背景技術】
【０００２】
１つ又は複数の電子機能を有し、かつ例えばスマートフォンタイプの移動体電話と通信できる、接続型腕時計に関連する強い傾向が、現在の市場には存在する。しかしながら接続型腕時計の場合、このような腕時計の審美的品質、時間管理品質、密閉品質よりも、このような腕時計が使用を提供する電子機能の範囲に重点が置かれる。従って、現在市場で入手可能な接続型腕時計は、魅力的でなく、かつ比較的脆性の物体であり、日々の使用には、そのユーザによる相当な注意が必要となる。
【発明の概要】
【発明が解決しようとする課題】
【０００３】
本発明の目的は、１つ又は複数の電子機能を腕時計ケースと関連させることができるブレスレット又はストラップを提供することによって、上述の課題及びその他の課題を克服することである。
【課題を解決するための手段】
【０００４】
この目的のために、本発明は腕時計のブレスレットに関し、上記ブレスレットは、第１のプリント回路シートを格納した第１のブレスレットストランド、及び第２のプリント回路シートを格納した第２のブレスレットストランドを備え、上記第１のブレスレットストランドは、中央部品を介して上記第２のブレスレットストランドに接続され、上記中央部品は、腕時計ケースのための台座として機能するよう配設され、また第１のプリント回路シートと第２のプリント回路シートとの間の電気的連続性を保証するための手段を備え、上記第１及び第２のプリント回路シートのうちの少なくとも一方は、少なくとも１つの電子構成部品を支持し、他方は、上記電子構成部品に電流を供給する少なくとも１つの電気エネルギ源を支持する。
【０００５】
本発明の更なる特徴によると、上記第１のプリント回路シートと、上記第２のプリント回路シートと、上記第１のプリント回路シートと上記第２のプリント回路シートとの間の電気的連続性を保証するための上記手段を含む上記中央部品とは、単一部品として作製される。
【０００６】
本発明の別の特徴によると、上記第１のプリント回路シート及び上記第２のプリント回路シートは、第１のプラスチック材料を用いてオーバモールドされる。
【０００７】
本発明の更に別の特徴によると、上記中央部品は、上記第１のプラスチック材料を用いてオーバモールドされる。
【０００８】
本発明の更に別の特徴によると、上記中央部品は、インサートによって被覆される。
【０００９】
本発明の更なる特徴によると、上記第１のプラスチック材料を用いてオーバモールドされた上記第１及び第２のプリント回路シートと、上記硬質インサートによって被覆された上記中央部品とで形成された、上記ブレスレットは、第２のプラスチック若しくはエラストマ材料を用いてオーバモールドされる、又はスリーブに挿入される。
【００１０】
本発明の更なる特徴によると、上記スリーブは単一部品として作製される、又は周縁部に沿って互いに接合された上側バンド及び下側バンドで形成される。
【００１１】
本発明の更なる特徴によると、上記腕時計ケースは、直径の両端として対向する２ペアの角状部を含み、上記硬質インサートは２つのガイド要素を含み、上記ガイド要素は、角状部の各ペアの間に配置されるよう配設され、またそれぞれ、上記腕時計ケースへの上記ブレスレットの取り付けを可能とするためのピンの通過のための孔によって穿孔される。
【００１２】
これらの特徴の結果として、本発明は、少なくとも１つの電子機能を実行するために必要な電子構成部品を格納し、かつ腕時計ムーブメントを内包する腕時計ケースに取り付けられる、ブレスレットを提供する。この腕時計ムーブメントは、電子式ムーブメント、機械式ムーブメント、又はこれら２つのムーブメントの組み合わせであってよい。いずれの場合においても、上記腕時計ムーブメントを内包する上記腕時計ケースは、１つ又は複数の電子機能を実行可能とする本発明によるブレスレットの追加によって、影響を受けない。従って、本発明のブレスレットの追加によってユーザに追加の電子機能を提供する一方で、上記腕時計ケースの審美的特性、密閉特性、時間管理特性は完全なままとなる。
【００１３】
上記ブレスレットが使い古された場合、又は上記ブレスレットが内包する上記電気エネルギ源が使い果たされた場合、上記ブレスレットは新しいブレスレットに容易に交換できる。当然のことながら、ある変形例によると、上記電気エネルギ源は再充電可能であってもよい。また、異なる複数の電子機能を実施するよう配設されたブレスレットを製造することも想定でき、これによりユーザは、自身の必要を満たす電子機能を提供するブレスレットを選択できる、又は同時に複数の異なるブレスレットを購入できるようになる。
【００１４】
本発明の更なる利点によると、プリント回路シートが２つのブレスレットストランド内に配置されているという事実、及びこれらのプリント回路シートが互いに電気的に接続されているという事実は、ブレスレットの内部に格納される電子構成部品の数を増加させることができ、これによってユーザが利用可能な電子機能の数を増加させることができること、又は上記２つのブレスレットストランドの間に、最適な様式で複数の電子構成部品を分散させることができることを意味している。
【００１５】
本発明の他の特徴及び利点は、本発明によるブレスレットの一実施形態に関する以下の詳細な説明から、より明らかになるだろう。この例は、添付の図面を参照して、単なる非限定的な例示として挙げられているものである。
【図面の簡単な説明】
【００１６】
【図１】図１は、本発明によるブレスレットの斜視図であり、ここで第１のプリント回路シートは、腕時計ケースのための台座として機能するよう配設された中央部品を介して、第２のプリント回路シートに接続され、この中央部品は、上記第１のプリント回路シートと上記第２のプリント回路シートとの間の電気的連続性を保証するための手段を含み、硬質インサートによって被覆されている。
【図２】図２は、図１と同様の図であり、ここで上記第１のプリント回路シート及び上記第２のプリント回路シートは、第１のプラスチック又はエラストマ材料を用いてオーバモールドされている。
【図３】図３は、図２のブレスレットの、長手方向軸に沿った垂直断面図である。
【図４】図４は、図２のブレスレットが挿入されるスリーブの図である。
【図５Ａ−５Ｂ】図５Ａ、５Ｂは、図４のスリーブの変形実施形態を示し、これは上側バンド及び下側バンドを含み、上記上側バンドと上記下側バンドの間には、本発明によるブレスレットが配設され、また上記上側バンド及び上記下側バンドは、例えばシームによって又は熱溶着によって、その周縁部に沿って互いに組み付けられている。
【図６】図６は、第１及び第２のプリント回路部分を互いに対して電気的に接続するための導電性経路を支持するアーチを１つのみ有する、中央部品の斜視図である。
【発明を実施するための形態】
【００１７】
本発明は、限定するものではないが好ましくは機械式ムーブメントである腕時計ムーブメントを内包する腕時計ケースを、少なくとも１つの電子機能の実行のために必要な１つ又は複数の電子構成部品がその厚さ内に格納されたブレスレットと関連させることからなる、一般発明概念に由来するものである。これらの特徴の結果として、腕時計ケースに、このような腕時計を接続型腕時計へと変更することになる１つ又は複数の更なる電子機能を追加しながら、上記腕時計ケースの審美的外観、機械的特性、時間管理品質は不変のままとなる。本発明は機械式ムーブメントの場合に特に有利である。というのは、本発明は、このような腕時計がそのユーザに提供できるサービスの範囲を増大させながら、機械式ムーブメントの、ユーザの感情に影響する側面を保持できるためである。
【００１８】
図１は、本発明によるブレスレットの斜視図である。全体として一般参照番号１によって示されるこのブレスレットは、中央部品８によって第２のプリント回路部分６に接続される第１のプリント回路部分４で形成された、プリント回路シート２を含み、上記中央部品８は、第１のプリント回路部分４と第２のプリント回路部分６との間の電気的連続性を保証するための手段を含む。
【００１９】
中央部品８は、第１のプリント回路部分４及び第２のプリント回路部分６から分離させてよい。このような場合、電線等の追加の電気接続手段を、第１のプリント回路部分４と中央部品８との間、及び中央部品８と第２のプリント回路部分６との間に設けなければならなくなるが、これは必ずしも非常に便利であるとは言えない。このため、本発明の好ましい実施形態によると、第１のプリント回路部分４、中央部品８、第２のプリント回路部分６は、単一部品として作製される。従って中央部品８もまた、プリント回路シート部分で形成されることになり、その上には、第１のプリント回路部分４と第２のプリント回路部分６との間の電気的連続性を保証するために、１つ又は複数の導電性経路が構成されることになる。
【００２０】
特に図１に示すように、おおよそ環状である中央部品８は、腕時計ケース１２のミドルケース１０の外径に略対応する外径を画定する２つのアーチ８ａ、８ｂで形成され、上記ミドルケース１０は、腕時計ケース１２と中央部品８との間にインサート１４を挿入することによって、中央部品８の上側に配設されるよう構成される。このインサート１４は硬質リング１６を含み、上記硬質リング１６のジオメトリは、中央部品８のジオメトリと同一であり、またこの硬質リング１６は、接着結合等のいずれの適切な手段によって、中央部品８に取り付けられる。この硬質リング１６は、中央部品８に剛性及び機械的強度を与え、また腕時計ケース１２のための台座として機能する。中央部品８はそのリング形状により、腕時計ケース１２の裏側を視認可能なままとすることが理解される。
【００２１】
これより、ブレスレット１の長手方向軸に沿って延在する平面における断面図である図３をより詳細に参照して、本発明によるブレスレット１を精査する。この図に示すように、腕時計ケース１２は、１組の針、即ち時針２０ａ、分針２０ｂを駆動する腕時計ムーブメント１８を内包する。これらの時針２０ａ及び分針２０ｂは文字盤２２の上側で動き、風防ガラス２４によって被覆される。
【００２２】
腕時計ケース１２の内部に格納された腕時計ムーブメント１８は、いずれのタイプのものであってよいことを理解することが重要である。これは、純粋に機械式のムーブメント、又は純粋に電子式のムーブメント、又は電子機械式ムーブメントであってよい。腕時計ムーブメント１８が機械式又は電子式であるという性質は、本発明の目的に関して実際には何ら重要ではない。というのは、腕時計ケース１２が本発明によるブレスレット１とは完全に独立しており、またこのようなブレスレット１の追加には、腕時計ケース１２の内部に格納された様々な構成部品のいずれの改造が不要であるためである。
【００２３】
従って以上から、本発明は、腕時計ムーブメント１８が機械式ムーブメントである場合に特に有利であることが理解される。実際のところ、このような純粋に機械式の腕時計ムーブメント１８を内包する腕時計ケース１２に、本発明のブレスレット１を追加することにより、腕時計ケース１２の審美的外観、機械的品質、密閉を損なうことなく、前例のない電子機能をユーザに提供できる。
【００２４】
上述のように、第１のプリント回路部分４は、中央部品８を介して第２のプリント回路部分６に電気的に接続され、これらの上には、これら２つのプリント回路部分４、６の間の電気的連続性を保証する１つ又は複数の導電性経路が構成される。このような構成は多数の利点を有し、その中でも以下が挙げられる：ブレスレットにより多くの電子機能を持たせることができ、これによってユーザが利用可能な電子機能の数を増加させることができること、又は２つのブレスレットストランドの間に、最適な様式で複数の電子構成部品を分散させることができること。特に、プリント回路シートのうちの一方の上に１つ又は複数の電気エネルギ源を設置し、他方のプリント回路シート上に電子構成部品を設置することを想定できる。
【００２５】
図３を精査すると明らかになるように、加速度計２８のためのマイクロコントローラ２６、大気圧センサ３０、磁気センサ３２といった電子構成部品が、第１のプリント回路部分４の表面上に設置され、その一方で、電流源３４及び、例えばＢｌｕｅｔｏｏｔｈ（登録商標）、Ｗｉ‐Ｆｉ又はＮＦＣインタフェースを用いて別の装置と通信できる集積回路３６が、第２のプリント回路部分６上に設置される。
【００２６】
図１を精査すると、特に、腕時計ケース１２が、直径の両端として対向する２ペアの角状部３８を含み、インサート１４が２つのガイド要素４０を含み、上記ガイド要素４０が、腕時計ケース１２をインサート１４上に配置した場合に角状部３８の各ペアの間に配置されるよう配設されることが明らかとなる。これら２つのガイド要素４０はそれぞれ、腕時計ケース１２へのブレスレット１の取り付けのためのピン４４の通過のための孔４２によって穿孔される。
【００２７】
全ての電子構成部品が各プリント回路部分４、６上に設置され、インサート１４が中央部分８上に適切に配置されると、この組立体をプラスチック又はエラストマ材料の第１の層４６を用いてオーバモールドして、第１のアーム４８、第２のアーム５０を形成する。この第１のオーバモールド層４６の目的は、プリント回路部分４、６上に設置された電子構成部品を外的な衝撃から保護すること、並びに得られるアーム４８、５０に形状及び機械的強度を与えることである。好ましくは、ピン４４は、上記オーバモールド作業中に、角状部３８及びガイド要素４０を通して係合して、孔４２がオーバモールド材料によって塞がれるのを防止する。
【００２８】
上記オーバモールド作業によって得られ、インサート１４によって被覆された中央部分８によって互いに接続された２つのアーム４８、５０を含み、またその厚さ内に、１つ又は複数の所望の電子機能の実行のために必要な電子構成部品を格納する、ブレスレット１は、最後にスリーブ５２内部で摺動させられ、このスリーブ５２は、図４に示す例では、接続部品５８によって互いに対して接続された第１のストランド５４及び第２のストランド５６を含み、この接続部品５８は、インサート１４によって被覆されたブレスレット１の中央部分８を受承するように、サイズ及び形状が適合されている。このスリーブ５２は例えば、第１のストランド５４及び第２のストランド５６を中空とし、かつそれぞれに開口６０を設けることによって、上記２つのアーム４８、５０がその中で摺動できることを保証しながら、エラストマ材料を成形又は射出成形することによって得られる。図５Ａ、５Ｂに示す変形実施形態によると、スリーブ５２は上側バンド６２及び下側バンド６４を含み、上側バンド６２と下側バンド６４の間には、本発明によるブレスレット１が配設され、また上側バンド６２及び下側バンド６４は、例えばシームによって又は熱溶着によって、その周縁部６６に沿って互いに組み付けられている。
【００２９】
言うまでもないことであるが、本発明は上述の実施形態に限定されず、また当業者は、添付の請求項によって定義されるような本発明の範囲から逸脱することなく、様々な変形例を想定できる。特にスリーブ５２の代替例として、本発明によるブレスレット１を、２つのアーム４８、５０及びこれらを接続する中央部分８を、第１のオーバモールド層４６のために使用した材料と同一であっても異なっていてもよいプラスチック又はエラストマ材料の第２の層を用いてオーバモールドすることを意図した、第２のオーバモールド作業に供することを想定できる。また図６に示すように、中央部分８は、第１のプリント回路部分４と第２のプリント回路部分６とを互いに電気的に接続するための導電性経路を支持するためのアーチ６８を１つだけ有してよい。
【符号の説明】
【００３０】
１      ブレスレット
２      プリント回路シート
４      第１のプリント回路部分
６      第２のプリント回路部分
８      中央部分
１０    ミドルケース
１２    腕時計ケース
１４    インサート
１６    硬質リング
１８    腕時計ムーブメント
２０ａ  時針
２０ｂ  分針
２２    文字盤
２４    風防ガラス
２６    マイクロコントローラ
２８    加速度計
３０    大気圧センサ
３２    磁気センサ
３４    電力供給源
３６    集積回路
３８    角状部
４０    ガイド要素
４２    孔
４４    ピン
４６    第１のオーバモールド層
４８    第１のアーム
５０    第２のアーム
５２    スリーブ
５４    第１のストランド
５６    第２のストランド
５８    接続部品
６０    開口
６２    上側バンド
６４    下側バンド
６６    周縁部
６８    アーチ
【図１】
2019051345.tif 000003
【図２】
2019051345.tif 000004
【図３】
2019051345.tif 000005
【図４】
2019051345.tif 000006
【図５Ａ】
2019051345.tif 000007
【図５Ｂ】
2019051345.tif 000008
【図６】
2019051345.tif 000009
【外国語明細書】
2019051345000001.pdf